(57)【要約】【課題】  使用性が優れ、利便性と簡素化した構造を有する手操作乳液吸引装置を提供する。【解決手段】  固着ベース１３を受け取り容器１１のバスト・カバー１２に結合し、スリーブ１４をバスト・カバー１２内に嵌合し、固着ベース１３内に位置決めさせ、固着ベース１３の滑走槽１３５に作動塊１６を嵌め込み、且つその作動塊１６の端部にプランジャー１５を取り付け、プランジャー１５を前記のスリーブ１４の内部に位置させる。【選択図】図３
0003113894.tif 000002
【実用新案登録請求の範囲】
【請求項１】
受け取り容器と、バスト・カバーと、固着ベースと、スリーブと、プランジャーと、作動塊と、位置決めベースと、リンク・ロッド部と、飾りケーシングとからなり、
前記の受け取り容器の入口には止め手段が配設され、当該止め手段においては下へ向けて細いスリット出口が形成されており、
また、前記のバスト・カバーが前記の受け取り容器にら着結合され、その一端部が乳を覆うためのカップが形成され、また、前記のバスト・カバーの上端面部には置き入れ孔部が形成され、且つ前記のカップに連結されて受け取り容器に連通する管路を形成し、
また、前記固着ベースには収納室を有する外方カバーが形成され、且つその外方カバーの外側面の底端部には位置制限塊が突出形成され、また、その外方カバーの両側より下向けて係止ピースが延出形成され、他に、前記の外方カバーの両側より上向けて位置制限ピースが形成され、また、前記の位置制限ピースの中央部には滑走槽が形成され、その滑走槽の上端部には位置決め孔部が形成されており、
前記のスリーブの中央部には前記のプランジャーの差し込む収納室が形成され、その底部には前記バスト・カバーの置き入れ孔部に対応嵌合されるガイド・パイプが形成され、
また、前記プランジャーには当接リングを有するベースを備えており、その上縁部には嵌合塊が形成されており、
また、前記の作動塊には前記の固着ベースの両側の位置制限ピースの滑走槽内に嵌合でき、且つその作動塊の部には位置制限一端塊が配設され、且つ他端部に貫通槽が形成され、
また、前記の位置決めベースの前記の固着ベースの両側の位置制限ピースに対応する位置決め孔部には係止塊が形成され、且つ前記の位置決めベースの上端部には貫通孔部が形成され、
且つ前記のリンク・ロッド部が上リンクロッドに下リンク・ロッドを枢着して形成されるものであり、且つそれらの枢着箇所には付勢部材が配設され、且つ前記の上下のリンク・ロッド同士の相互に枢着される他端部には係止端部が形成されており、
また、前記の飾りケーシングの上縁部には差込ロッドが配設され、それが前記の位置決めベースの貫通孔を貫通して他の飾りケーシングと結合することができ、また、前記の飾りケーシングの前記リンク・ロッド部に対応する位置には保護ピースが配設され、
前記の飾りケーシングを押し付けることによって前記のリンク・ロッド部に作動させて前記作動塊に当接させると、前記のプランジャーが前記のスリーブの内方で上下方へ繰り返す作動を実行させ、その吸引と放出の作動間に乳液を前記の受け取り容器にコレクトすることができるようにしたことを特徴とする手操作乳液吸引装置。
【請求項２】
前記の飾りケーシングとしてそれぞれのタイプのパターンに形成される飾りケーシングを好適に使用することを特徴とする請求項１に記載の手操作乳液吸引装置。
【考案の詳細な説明】
【技術分野】
【０００１】
本考案は、手操作乳液吸引装置に係わり、特にスリーブ内にプランジャーを配設し、手動でリンク・ロッド部を押し付けることによって前記のプランジャーを変位させて乳液を吸引するようにした片手で操作できる手操作乳液吸引装置に関するものである。
【背景技術】
【０００２】
さて、現今の母親が大体乳液を哺乳する優れる点をよく了解しており、人間の乳液には幼児にそれぞれのタイプの感染を抵抗させることを助ける作用を生成することができる抗体を含んでおり、また、人間の乳液が幼児のニーズに応じて変化を生じられるものであり、生まれたばかりの幼児の最も優れる食糧となっていることが周知のことである。仕事に出かけようとする場合では、または、何時間か外出しようとする場合では、または、夜間における睡眠時間を長くならせるつもりの場合では、手操作乳液吸引装置によって乳液を吸引抽出して冷蔵庫に保存し、他人が任意の時間帯において母親に代わって哺乳を実行することができるようにすることが普段のよく採用される手段である。
【０００３】
また、一般的な乳液吸引装置のことを言うと、図１に示すように、主に、バスト・カバー７０とゴム製ボール７１とからなり、そのバスト・カバー７０にはパイプ７０１が配設され、そのパイプ７０１の適所に収納槽７０２が配設され、その後段部にはまたゴム製ボール７１を接続する。使用される場合では、前記のバスト・カバー７０をバストにつけ、前記のゴム製ボール７１を押し付けることによって圧力を生成させて乳液を吸引させる。しかしながら、前記の収納槽７０２の容量が小さいため、使用者は他の収納瓶を余分に用意する必要があり、その収納槽７０２が乳液を一杯収納後に、前記の収納瓶に注入し、野のような操作の繰り返す期間にはその乳液のピュア程度が確保されることができない。
【０００４】
また、他の種の従来の乳液吸引装置の場合では、主に、バスト・カバー８０と、瓶体８１と、ゴム製ボール８２とからなり、そのバスト・カバー８０にはパイプが延出形成され、そのパイプの後部に接続ベース８０１が接続され、その接続ベース８０１にはゲル製ロープ８２１が接続され、そのゲル製ロープ８２１にはゴム製ボール８２が接続され、また、前記の接続ベース８０１の下方には瓶体８１が配設されている。使用時に、片手で瓶体８１を握って、且つ前記のバスト・カバー８０をバスト部に配設し、他の手で前記のゴム製ボール８２を押し付ける。しかしながら、バストをマッサージして乳液を生成させようとする場合では、両手の操作がよく乱れるようになることがある。
【０００５】
前記の説明から分かるように、一般の大衆の周知する乳液吸引装置の設計のことは、使用者の真のニーズに対応する場合には、まだ、不好適な複数の課題を存在しており、それらの不好適な点に鑑みて、本考案の考案者は研究開発を進め、乳液吸引装置の構造を簡素化でき、且つ操作がさらに便利になり、且つ片手で操作可能な機能を有するように好適な乳液吸引装置を実現できれば、必ず大衆の歓迎を受けることができる存じたので、本考案が作り出された。
【考案の開示】
【考案が解決しようとする課題】
【０００６】
そのため、本考案は、一種の構造が簡素的であるとともに、操作がかなり便利である手操作乳液吸引装置を提供することをその主要な解決しようとする課題とする。
【課題を解決するための手段】
【０００７】
前記の目的を図るために、本考案は、固着ベースを受け取り容器のバスト・カバーに係止結合し、且つスリーブを前記のバスト・カバー内に嵌合し、前記の固着ベース内に位置決めさせ、且つ前記の固着ベースの滑走槽に作動塊を嵌め込むとともに、位置決めベースをその上縁部に係止し、且つその作動塊のある端部にプランジャーを取り付け、且つそのプランジャーを前記のスリーブの内部に位置させ、且つその他端部をリンク・ロッド部に対応枢着し、飾りケーシングを前記の位置決めベースを貫通して前記のリンク・ロッド部を覆うようにし、こうすると、前記の飾りケーシングを押し付けることによって前記のリンク・ロッド部を作動させて前記の作動塊に当接させることができ、プランジャーがスリー部内で上向けて作動されて吸引力を生成し、飾りケーシングを放す場合に、付勢部材をツイストさせる力によってプランジャーを下向けて作動させ、このように上下方へ繰り返して作動させることによって吸引と放出との間で乳液を受け取り容器内にコレクトするようにした、手操作乳液吸引装置を提供する。
【考案を実施するための最良の形態】
【０００８】
本考案についての前記の達成しようとする目的とその効果とその採用された技術手段をさらに詳細に説明するために、以下に添付図面を参照しながら、本考案の優れる実施の形態を詳細的で具体的に説明する。
【０００９】
図３と図４に示すのは、本考案の手操作乳液吸引装置を示す外見分解斜視図と外見組立斜視図であり、その手操作乳液吸引装置１には、主に、受け取り容器１１と、バスト・カバー１２と、固着ベース１３と、スリーブ１４と、プランジャー１５と、作動塊１６と、位置決めベース１７と、リンク・ロッド部１８と、飾りケーシング１９を備えており、その中では、前記の受け取り容器１１として吸引抽出される乳液を収納可能な容器を採用し、その容器の入口には止め手段１１０を配設してもよく、その止手段１１０には下向けて形成される細いスリット出口１１１が形成されている。
【００１０】
また、前記のバスト・カバー１２が前記の受け取り容器１１に螺着結合され、そのある端部にはバスとをカバーできるカップ１２１が配設され、また、前記のバスト・カバー１２の上縁部には置き入れ孔部１２２が形成され、且つ前記のカップ１２１を連結して管路を形成し、前記の受け取り容器１１の箇所に連通されるように設定される。
【００１１】
前記の固着ベース１３には、収納室を有する外方カバー１３１が形成され、その外方カバー１３１の外側面部の底端部には位置制限塊１３２が突出配設され、また、外方カバー１３１の両側には下向けて延伸する係止ピース１３３が形成され、それをバスト・カバー１２の対応する縁部に係止されることができる。また、前記の外方カバー１３１の両側に上向けて延伸する位置制限ピース１３４が形成され、且つ中央部には滑走槽１３５が形成され、また、その滑走槽１３５の上縁部には位置決め孔部１３６が形成されている。
【００１２】
また、前記のスリーブ１４の中央部には前記のプランジャー１５の嵌め込むことができる収納室１４１が形成され、その底部にはガイド・パイプ１４２を有し、且つ前記のバスト・カバー１２の置き入れ孔部１２２の箇所に対応嵌合されている。
【００１３】
前記のプランジャー１５が、当接リング１５１を備えるベース体からなり、その上縁部には嵌合塊１５２が配設されている。
【００１４】
前記の作動塊１６は前記の固着ベース１３の両側の位置制限ピース１３４の滑走槽１３５内に嵌合可能な物品であり、その作動塊１６のある端部には位置制限ロッド１６１が配設され、且つその他端部には貫通槽１６２が形成され、そこに前記のプランジャー１５の嵌合塊１５２が嵌合されている。
【００１５】
前記の位置決めベース１７の前記の固着ベース１３の両側の位置制限ピース１３５の位置決め孔部１３６に対応し、係止塊１７１が設けられ、前記の位置決めベース１７の上縁部には貫通孔部１７２が形成されている。
【００１６】
前記のリンク・ロッド部１８が上リンク・ロッド１８１に下リンク・ロッド１８２を数着してなるものであり、その枢着箇所には付勢部材１８３が配設され、且つ前記の上下方のリンク・ロッド１８１，１８２の相互に枢着される他の端部にはそれぞれ係止端１８１１，１８２１が形成されている。
【００１７】
前記の飾りケーシング１９が任意のパターンに形成される二つのケーシング同士からなるものであり、そのあるケーシングの上縁部には差し込むロッド１９１が配設され、且つ前記の位置決めベース１７の貫通孔部１７２を貫通して他のケーシングと結合することができ、また、そのケーシングの前記のリンク・ロッド部１８に対応する位置には保護ピース１９２が形成されている。
【００１８】
図５と図６に示すように、組立を実行する場合に、まず止め手段１１０を前記の受け取り容器１１の入口部に付設させ、また、バスト・カバー１２の前記の受け取り容器１１に対応する部分をロック結合して位置決めさせ、それから、固着ベース１３の両側の下向けて延伸する係止ピース１３３を前記バスト・カバー１２の縁部に対応係止し、また、スリーブ１４のガイド・パイプ１４２を前記のバスト・カバー１２の置き入れ孔部１２に対応嵌合する。また、スリーブ１４を前記固着ベース１３の外方カバー１３１の収納室内に位置させ、また、前記のプランジャー１５を前記のスリーブ１４の収納室１４１に嵌め込ませ、且つプランジャー１５の上縁部の嵌合塊１５２を前記の作動塊１６の貫通槽部１６２に貫通配設させ、且つ作動塊１６を同時に前記の固着ベース１３の両側の位置制限ピース１３４の滑走槽１３５内に嵌め込ませ、それから、位置決めベース１７の係止塊１７１を固着ベース１３の両側の位置制限ピース１３４の位置決め孔部１３６に対応させてはめ込ませて位置決めさせる。最後に、前記のリンク・ロッド部１８の前記の上下方のリンク・ロッド同士１８１，１８２の他端部に形成される係止端１８１１，１８２１をそれぞれ作動塊１６の位置制限ロッド１６１と固着ベース１３の外方カバー１３１の位置制限塊１３２に対応嵌合させ、また、前記の差込ロッド１９１と保護ピース１９２を有する飾りケーシング１９を他の飾りケーシング１９に対応結合して組立を終了する。
【００１９】
また、図７と図８に示すように、使用時に、片手で操作すればよく、前記のバスト・カバー１２のカップ１２１をバストにつけ、片手で前記の飾りケーシング１９を押し付けて前記の保護ピース１９２を前記のリンク・ロッド部１８に当接させ、下リンク・ロッド１８２のある端部が前記の固着ベース１３の外方カバー１３１の位置制限塊１３２に位置決められるため、そのような押し付けの操作が前記のリンク・ロッド部１８の上リンク・ロッド１８１に引き作動を実行させ、前記の作動塊１６を引いて作動させ、且つプランジャー１５を上昇させるように連動し、作動塊１６を固着ベース１３の滑走槽１３４内で変位させ、且つプランジャー１５をスリーブ１４の収納室１４１内で上昇変位させ、そのプランジャー１５の上昇による吸引力によって乳液を吸引抽出し、止め手段１１０内に流れさせ、且つ吸引力の影響によって前記の止め手段１１０の細いスリット出口１１１が閉鎖され、乳液が止め手段１１０内に止められ、また、前記の飾りケーシング１９を放すと、リンク・ロッド部１８の上下リンク・ロッド同士１８１，１８２に枢着される付勢部材１８３の付勢力によってそれらの上下リンク・ロッド同士１８１，１８２を復位させ、こうすると、作動塊１６が変位して下方へ移動し、プランジャー１５が下向けて推し進められ、気体を下向けて圧迫し、止め手段１１０の細いスリット出口１１１を開放状に形成させ、乳液を受け取り容器１１にコレクトする。
【００２０】
前記の構成部材の組立てることから分かるように、前記の飾りケーシング１９を押し付けると、前記のリンク・ロッド部１８が作動して前記の作動塊１６を当接し、プランジャー１５がスリーブ１４内で上下方へ往復作動し、吸引と放出の間で乳液を受け取り容器１１内にコレクトできる。
【産業上の利用可能性】
【００２１】
前記の説明から分かるように、本考案による手操作乳液吸引装置による場合では、少なくとも下記のような複数の産業上の優れる利用性を有している：
（１）本考案による手操作乳液吸引装置は、一種の片手で操作可能な構造を提供し、使用者は使用する際にその使用利便性を大幅に向上でき、且つ操作が簡易的であるので、両手が乱れるようなことをなくすことができる。
（２）本考案による手操作乳液吸引装置は、プランジャーとリンク・ロッド部の作動を合せて利用することによって強力な吸引力を有し、使用時に適当な吸引及び放出の圧力を生成提供でき、優れる効果性を有する実用新案の考案を提供できる。
（３）本考案による手操作乳液吸引装置は、受け取り容器によってコレクトした乳液を好適に保管できるので、利便性を備えるとともに、乳液のピュア程度を確保できる。
【００２２】
そのため、前記に説明したように、本考案と従来物と比較をする場合では、組立てやすいという利便性を有するほか、使用時に片手で操作できる利便性をも有し、実用性に富む実用新案の考案であり、前記の従来物のそれぞれの課題を効果的に解消でき、効果を増進する効果性を有しつつ進歩性を有するので、既に実用新案登録の要件を満たしていると認められるので、法に従って出願を提起するが、ご査察の上、早期に公開されるよう宜しくお願い申し上げますこと。
【００２３】
また、前記に説明したそれぞれの具体的な構成は単に本考案の実施可能な実施の形態に過ぎなく、本考案の主張範囲を狭義的に局限するものではなく、本考案の請求の範囲の記載の要旨に基づいて実行される同じような効果を有する他の改造や変更や一部転用などのものもすべて本考案の主張範囲内に納入されるべきことが言うまでもないことである。
【図面の簡単な説明】
【００２４】
【図１】従来物の第一の形態を示す側面図である。
【図２】従来物の第二の形態を示す側面図である。
【図３】本考案の手操作乳液吸引装置の構成を示す外見分解斜視図の一である。
【図４】本考案の手操作乳液吸引装置の構成を示す外見分解斜視図の二である。
【図５】本考案の手操作乳液吸引装置の構成を示す外見組立斜視図の一である。
【図６】本考案の手操作乳液吸引装置の構成を示す外見組立斜視図の二である。
【図７】本考案の操作状態を示す説明図の一である。
【図８】本考案の操作状態を示す説明図の二である。
【符号の説明】
【００２５】
１          手操作乳液吸引装置
１１        受け取り容器
１２        バスト・カバー
１３        固着ベース
１４        スリーブ
１５        プランジャー
１６        作動塊
１７        位置決めベース
１８        リンク・ロッド部
１９        飾りケーシング
７０        バスト・カバー
７１        ゴム製ボール
８０        バスト・カバー
８１        瓶体
８２        ゴム製ボール
１１０      止め手段
１１１      細いスリット出口
１２１      カップ
１２２      置き入れ孔部
１３１      外方カバー
１３２      位置制限塊
１３３      係止ピース
１３４      位置制限ピース
１３５      滑走槽
１３６      位置決め孔部
１４１      収納室
１４２      ガイド・パイプ
１５１      当接リング
１５２      嵌合塊
１６１      位置制限塊
１６２      貫通槽
１７１      係止塊
１７２      貫通孔部
１８１      上リンク・ロッド
１８２      下リンク・ロッド
１８３      付勢部材
１９１      差込ロッド
１９２      保護ピース
７０１      パイプ
７０２      収納槽
８０１      接続ベース
８２１      ゲル製ロープ
１８１１    係止端
１８２１    係止端
【図１】
0003113894.tif 000003
【図２】
0003113894.tif 000004
【図３】
0003113894.tif 000005
【図４】
0003113894.tif 000006
【図５】
0003113894.tif 000007
【図６】
0003113894.tif 000008
【図７】
0003113894.tif 000009
【図８】
0003113894.tif 000010